(57)【要約】本発明は、印刷カードに組み込まれるＩＦＡ（英語表記で’Inverted F Antenna’となる「逆Ｆ型アンテナ」）型アンテナに関し、印刷カードは、主延長平面、ＩＦＡ型アンテナを含む。ＩＦＡ型アンテナは、接地平面としての役割を果たす第１の電気的伝導素子と、アンテナの放射素子としての役割を果たす第２の電気的伝導素子と、第１の電気的伝導素子と第２の電気的伝導素子とを短絡させる役割を果たす電気的伝導結合部と、第２の電気的伝導素子と電気的に接触される励磁素子とを備え、第２の電気的伝導素子は、印刷カードの様々な平面に第１部、第２部及び第３部を有する。
2014521235.tif 000002
【特許請求の範囲】
【請求項１】
印刷カード（２．２）に組み込まれるＩＦＡ（英語表記で’Inverted F Antenna’となる「逆Ｆ型アンテナ」）型アンテナ（２）であって、印刷カード（２．２）は、主延長平面を含み、
ＩＦＡ型アンテナ（２）は、
接地平面としての役割を果たす第１の電気的伝導素子（２．７）と、
アンテナの放射素子としての役割を果たす第２の電気的伝導素子（２．８）と、
第１の電気的伝導素子（２．７）と第２の電気的伝導素子（２．８）とを短絡させる役割を果たす電気的伝導結合部（２．３）と、
第２の電気的伝導素子（２．８）と電気的に接触される励磁素子（２．４）とを備え、
第２の電気的伝導素子（２．８）は、第１部（２．１）、第２部（２．５）及び第３部（２．６）を含み、
第２の電気的伝導素子（２．８）の第１部（２．１）は、印刷カード（２．２）の主延長平面に平行な第１平面に配置され、
第２の電気的伝導素子（２．８）の第２部（２．５）は、印刷カード（２．２）の主延長平面に平行な第２平面に配置され、
第２の電気的伝導素子（２．８）の第３部（２．６）は、印刷カード（２．２）の主延長平面に平行な第３平面に配置され、
第１平面と第２平面は分離され、第２の電気的伝導素子（２．８）の第１部（２．１）及び第２部（２．２）は、第２の電気的伝導素子（２．８）の第４部（２．１．１）によって結合され、
第１平面と第３平面は分離され、第２の電気的伝導素子（２．８）の第１部（２．１）及び第３部（２．６）は、第２の電気的伝導素子（２．８）の第５部（２．１．２）によって結合される、
ことを特徴とするＩＦＡ型アンテナ。
【請求項２】
前記第２平面及び第３平面は同一であることを特徴とする請求項１に記載のＩＦＡ型アンテナ。
【請求項３】
第２の電気的伝導素子（２．８）の第１部（２．１）は印刷カード（２．２）の第１側に配置され、第２の電気的伝導素子（２．８）の第２部（２．５）及び／又は第２の電気的伝導素子（２．８）の第３部（２．６）は印刷カード（２．２）の第２側に配置され、第２側は印刷カード（２．２）の第１側の反対である、ことを特徴とする請求項１又は２に記載のＩＦＡ型アンテナ。
【請求項４】
第１の電気的伝導素子（２．７）と、
電気的伝導結合部（２．３）及び／又は
励磁素子（２．４）は、
印刷カード（２．２）の第１側に配置されるか、又は印刷カード（２．２）の第２側に配置される、ことを特徴とする請求項３に記載のＩＦＡ型アンテナ。
【請求項５】
印刷カード（２．２）は第２の電気的伝導素子（２．８）の第４部（２．１．１）のための第１開口部（２．２．１）を備え、及び／又は印刷カード（２．２）は第２の電気的伝導素子（２．８）の第５部（２．１．２）のための第２開口部（２．２．２）を備えることを特徴とする請求項１〜４のいずれか一項に記載のＩＦＡ型アンテナ。
【請求項６】
第２の電気的伝導素子（２．８）の第１部（２．１）は第１延長長さ（Ｌ１）を有し、
第２の電気的伝導素子（２．８）の第２部（２．５）は第２延長長さ（Ｌ３）を有し、
第２の電気的伝導素子（２．８）の第３部（２．６）は第３延長長さ（Ｌ４）を有し、
第２の電気的伝導素子（２．８）の第４部（２．１．１）は第４延長長さ（Ｌ５）を有し、
第２の電気的伝導素子（２．８）の第５部（２．１．２）は第５延長長さ（Ｌ２）を有し、
第２の電気的伝導素子（２．８）の合計長さ（Ｌ）は、−通常、ＩＦＡ型アンテナ（２）の主動作波長の１／４に相当する−第１延長長さ（Ｌ１）、第２延長長さ（Ｌ３）、第３延長長さ（Ｌ４）、第４延長長さ（Ｌ５）及び第５延長長さ（Ｌ２）の合計に相当する、ことを特徴とする請求項１〜５のいずれか一項に記載のＩＦＡ型アンテナ（２）。
【請求項７】
第１の電気的伝導素子（２．７）と第２の電気的伝導素子（２．８）の第２部（２．５）との間にキャパシタ（Ｃ１）が設けられる請求項１〜６のいずれか一項に記載のＩＦＡ型アンテナ（２）。
【請求項８】
第４延長長さ（Ｌ５）及び第５延長長さ（Ｌ２）は、ＩＦＡ型アンテナ（２）の主動作波長の１／４０に相当することを特徴とする請求項１〜７のいずれか一項に記載のＩＦＡ型アンテナ（２）。
【請求項９】
第２延長長さ（Ｌ３）及び第３延長長さ（Ｌ４）は、ＩＦＡ型アンテナ（２）の主動作波長の１／１２に相当することを特徴とする請求項１〜８のいずれか一項に記載のＩＦＡ型アンテナ（２）。
【請求項１０】
第１延長長さ（Ｌ１）は、ＩＦＡ型アンテナ（２）の主動作波長の１／１０に相当することを特徴とする請求項１〜９のいずれか一項に記載のＩＦＡ型アンテナ（２）。
【請求項１１】
ＩＦＡ型アンテナ（２）を備える、特に自動車にて用いられるシステムであって、
ＩＦＡ型アンテナ（２）は、主延長平面を有する印刷カード（２．２）に組み込まれてなり、
かつＩＦＡ型アンテナ（２）は、
接地平面としての役割を果たす第１の電気的伝導素子（２．７）と、
アンテナの放射素子としての役割を果たす第２の電気的伝導素子（２．８）と、
第１の電気的伝導素子（２．７）と第２の電気的伝導素子（２．８）とを短絡させる役割を果たす電気的伝導結合部（２．３）と、
第２の電気的伝導素子（２．８）と電気的に接触される励磁素子（２．４）とを備え、
第２の電気的伝導素子（２．８）は、第１部（２．１）、第２部（２．５）及び第３部（２．６）を含み、
第２の電気的伝導素子（２．８）の第１部（２．１）は、印刷カード（２．２）の主延長平面に平行な第１平面に配置され、
第２の電気的伝導素子（２．８）の第２部（２．５）は、印刷カード（２．２）の主延長平面に平行な第２平面に配置され、
第２の電気的伝導素子（２．８）の第３部（２．６）は、印刷カード（２．２）の主延長平面に平行な第３平面に配置され、
第１平面と第２平面は分離され、第２の電気的伝導素子（２．８）の第１部（２．１）及び第２部（２．５）は、第２の電気的伝導素子（２．８）の第４部（２．１．１）によって結合され、
第１平面と第３平面は分離され、第２の電気的伝導素子（２．８）の第１部（２．１）及び第３部（２．６）は、第２の電気的伝導素子（２．８）の第５部（２．１．２）によって結合されることを特徴とするＩＦＡ型アンテナ（２）を備えるシステム。
【発明の詳細な説明】
【技術分野】
【０００１】
本発明は、第１に、印刷カードに組み込まれるＩＦＡ（英語表記で’Inverted F Antenna’となる「逆Ｆ型アンテナ」）型アンテナに関する。印刷カードは、主延長平面、ＩＦＡ型アンテナを含む。ＩＦＡ型アンテナは、接地平面としての役割を果たす第１の電気的伝導素子と、アンテナの放射素子としての役割を果たす第２の電気的伝導素子と、第１の電気的伝導素子と第２の電気的伝導素子とを短絡させる役割を果たす電気的伝導結合部と、第２の電気的伝導素子と電気的に接触される励磁素子とを備える。
【０００２】
本発明は、第２に、特に自動車にて用いられる、ＩＦＡ型アンテナを備えるシステムに関する。
【０００３】
本発明は、通信にて用いられる波長に比較してサイズの短い波長での、通信オブジェクト又はシステムに適用される。通常、本発明に関連する通信オブジェクト又はシステムは、工業、化学、医療（ＩＳＭ（Industrial Scientific Medical））、極超短波（ＵＨＦ（Ultra High Frequency））、超短波（ＶＨＦ（Very High Frequency））、長高周波（ＳＨＦ（Super High Frequency））、及びミリ波（ＥＦＨ（Extremely High Frequency））帯にて作動される数センチメートル（centimeters）オーダの寸法を有する、端子である。そのような端子に適合されるアンテナは、動作周波数に対して低減される寸法を有する（寸法は、通常、主動作波長の半分よりも短い）。アンテナのこの特徴的な特色は、ミニチュアアンテナと一般的に呼ばれるアンテナのカテゴリに定義される。
【背景技術】
【０００４】
ミニチュアアンテナに関して、逆Ｆ型アンテナが知られている。逆Ｆ型アンテナは、一般的に、ＩＦＡ（逆Ｆ型アンテナ）アンテナと呼ばれている。このＩＦＡアンテナは、
第１の電気的伝導素子又は接地平面と、
一般的にアンテナのルーフ（roof）と呼ばれる、アンテナの放射素子として機能する、接地平面によく平行に配置される、第２の電気的伝導素子と（もちろん接地平面に平行にされないものもある）、
第２の電気的伝導素子（又はルーフ）の第１端部に通常結合される、ルーフ及び接地平面を短絡する、電気的伝導結合部と、
接地平面に対して垂直な第２平面に配置され、第２の電気的伝導素子と第１の電気的伝導素子（又は接地平面）との間に電位差を作り出す高周波源（ＲＦ）に結合される、例えばワイヤプルーブのような励磁素子とを備える。ルーフの第２端部は、容量に結合される、全体的に開放回路である。
【０００５】
第２の電気的伝導素子（ルーフ）の長さは、ＩＦＡ型アンテナを通信システム又は装置の好ましいサイズに比較して相対的に大きくしている、アンテナの主波長の１／４に概ね等しい。
【発明の概要】
【発明が解決しようとする課題】
【０００６】
本発明は、周知技術及び前述した技術の欠点を改善することを特に目的とし、さらに、ＩＦＡ型アンテナはもちろん、（動作周波数（又は波長）を限定する）サイズが低減されたＩＦＡ型アンテナのように改良されたＩＦＡ型アンテナを備えるシステムを提供することを目的とする。
【課題を解決するための手段】
【０００７】
本発明によれば、この目的は、印刷カードに組み込まれるＩＦＡ（英語表記で’Inverted F Antenna’となる「逆Ｆ型アンテナ」）型アンテナによって達成される。印刷カードは、主延長平面、ＩＦＡ型アンテナを含む。ＩＦＡ型アンテナは、
接地平面としての役割を果たす第１の電気的伝導素子と、
アンテナの放射素子としての役割を果たす第２の電気的伝導素子と、
第１の電気的伝導素子と第２の電気的伝導素子とを短絡させる役割を果たす電気的伝導結合部と、
第２の電気的伝導素子と電気的に接触される励磁素子とを備え、
第２の電気的伝導素子は、第１部、第２部及び第３部を含み、
第２の電気的伝導素子の第１部は、印刷カードの主延長平面に平行な第１平面に配置され、
第２の電気的伝導素子の第２部は、印刷カードの主延長平面に平行な第２平面に配置され、
第２の電気的伝導素子の第３部は、印刷カードの主延長平面に平行な第３平面に配置され、
第１平面と第２平面は分離され、第２の電気的伝導素子の第１部及び第２部は、第２の電気的伝導素子の第４部によって結合される。
【０００８】
本発明に係るＩＦＡ型アンテナの実施形態の長所により、第２の電気的伝導素子の第１部の長さがおおむねアンテナの動作波長の１／４より短いので、サイズの低減されたアンテナを作るのが有利に可能となる。本発明に係るそのようなアンテナは、「ハイブリッド（印刷され、及び吊るされる（サスペンドsuspended））ＩＦＡアンテナ」と呼ばれる。
【０００９】
本発明によれば、アンテナの共振素子、つまり第２の電気的伝導素子は、同じ平面には配置されない５つの部分を備える。アンテナの共振素子は、与えられる共振周波数のためにアンテナをつくりだすのに必要とされる最大長さを低減するため、折り畳まれる。
【００１０】
本発明によれば、
第２の電気的伝導素子の第１部及び第２の電気的伝導素子の第４部は、適切な角度の角度を形成し、及び／又は
第２の電気的伝導素子の第１部及び第２の電気的伝導素子の第５部は、適切な角度の角度を形成し、及び／又は
第２の電気的伝導素子の第２部及び第２の電気的伝導素子の第４部は、適切な角度の角度を形成し、及び／又は
第２の電気的伝導素子の第３部及び第２の電気的伝導素子の第５部は、適切な角度の角度を形成する。
【００１１】
本発明によれば、実施形態の一つにて、第２の電気的伝導素子の第２部及び第２の電気的伝導素子の第３部は、異なる平面に配置されるのが可能となる（つまり、それらは第２平面及び第３平面にそれぞれ配置される）。さらに、本発明によれば、第２平面及び第３平面は、第１平面の異なるフェース（faces）に配置される（印刷カードの主延長面に対して平行で第１平面に対して平行な）。これは、第２の電気的伝導素子の第２部及び第２の電気的伝導素子の第３部が第２の電気的伝導素子の第１部に対して異なる側に折り畳まれることを意味する。
【００１２】
しかし、本発明に係る実施形態の他のモードによれば、第２平面と第３平面は同一であるのが好ましい。
【００１３】
本発明に係るアンテナのそのような実施形態の長所によれば、ＩＦＡ型アンテナは、二つの異なる平面、つまり第１平面及び第２平面（第３平面は第２平面に対応するので）にあってアンテナの素子又は素子の部品を有する比較的にシンプルな構造とすることができる。本発明に係るアンテナの実施形態にあって、第２の電気的伝導素子の第２部及び第３部は、第２平面に両方とも配置される（印刷カードの主延長面に対して平行に）。
【００１４】
本発明の好ましい展開は、第２の電気的伝導素子の第１部が印刷カードの第１側上に配置され、さらに第２の電気的伝導素子の第２部及び／又は第２の電気的伝導素子の第３部が印刷カードの第２側に配置されるということに見出される。印刷カードの第２側は、第１側の反対側である。
【００１５】
本発明に係るＩＦＡ型アンテナの実施形態の長所によれば、印刷カードの両側を用いるアンテナを形成することが有利に可能となる。
【００１６】
本発明の実施形態の他の好ましいモードによれば、
第１の電気的伝導素子と、
電気的伝導結合部、及び／又は
励磁素子
が、印刷カードの第１側又は第２側に配置される。
【００１７】
本発明に係るＩＦＡ型アンテナの実施形態の長所によれば、ＩＦＡ型アンテナをシンプル、かつ廉価に製造することが有利に可能となる。
【００１８】
本発明に係るＩＦＡ型アンテナの実施形態の好ましいモードによれば、印刷カードは第２の電気的伝導素子の第４部用の第１開口部を備え、及び／又は印刷カードは第２の電気的伝導素子の第５部用の第２開口部を備える。
【００１９】
本発明に係るＩＦＡ型アンテナの実施形態の他のモードによれば、
第２の電気的伝導素子の第１部は第１延長長さを有し、
第２の電気的伝導素子の第２部は第２延長長さを有し、
第２の電気的伝導素子の第３部は第３延長長さを有し、
第２の電気的伝導素子の第４部は第４延長長さを有し、
第２の電気的伝導素子の第５部は第５延長長さを有し、
第２の電気的伝導素子の合計長さ（Ｌ）は、−通常、ＩＦＡ型アンテナの主動作波長の１／４に相当する−第１延長長さ、第２延長長さ、第３延長長さ、第４延長長さ及び第５延長長さの合計に相当するのが好ましい。
【００２０】
本発明に係るＩＦＡ型アンテナの実施形態の長所によって、ＩＦＡ型アンテナのサイズをかなり、詳細には動作波長の１／４の有効合計長さを有する、第２の電気的伝導素子の製造に必要な最も大きな寸法（又は延長）に比較して５０％より多く削減することが可能となる。
【００２１】
本発明に係るＩＦＡ型アンテナの実施形態の好ましいモードによれば、キャパシタが第１の電気的伝導素子と第２の電気的伝導素子の第２部との間に提供される。
【００２２】
これは、低周波数に変更されるＩＦＡ型アンテナ、又はアンテナの寸法（Ｄ２，Ｌ２，Ｌ１，Ｌ５及びＬ４）が低減されるＩＦＡ型アンテナを可能とする。
【００２３】
ＩＦＡ型アンテナの入力インピーダンス値は、
電気的伝導結合部と励磁素子との間では、第１距離の変化と、
又は以下に記載の長さの合計の変化のいずれかによって、変更される。
励磁素子と第２の電気的伝導素子の第５部の位置との間の第２距離と、
第１延長長さと、
第２延長長さと、
第４延長長さ。
【００２４】
本発明は、ＩＦＡ型アンテナを備える、特に自動車にて用いられるシステムにも関する。ＩＦＡ型アンテナは、主延長平面を有する印刷カードに組み込まれる。ＩＦＡ型アンテナは、
接地平面としての役割を果たす第１の電気的伝導素子と、
アンテナの放射素子としての役割を果たす第２の電気的伝導素子と、
第１の電気的伝導素子と第２の電気的伝導素子とを短絡させる役割を果たす電気的伝導結合部と、
第２の電気的伝導素子と電気的に接触される励磁素子とを備え、
第２の電気的伝導素子は、第１部、第２部及び第３部を含み、
第２の電気的伝導素子の第１部は、印刷カードの主延長平面に平行な第１平面に配置され、
第２の電気的伝導素子の第２部は、印刷カードの主延長平面に平行な第２平面に配置され、
第２の電気的伝導素子の第３部は、印刷カードの主延長平面に平行な第３平面に配置され、
第１平面と第２平面は分離され、第２の電気的伝導素子の第１部及び第２部は、第２の電気的伝導素子の第４部によって結合され、
第１平面と第３平面は分離され、第２の電気的伝導素子の第１部及び第３部は、第２の電気的伝導素子の第５部によって結合される。
【００２５】
本発明の他の特徴及び長所は、本発明の非制限的な固有モードについての以下の説明を解釈することから理解される。
【図面の簡単な説明】
【００２６】
本発明は、付与された非制限的な具体例についての、添付の概略的な図面を参照した説明である、以下の記載からより良く理解されるであろう。
【００２７】
【図１】従来技術に係るＩＦＡ型アンテナの側部の概略図である。
【図２Ａ】本発明に係るＩＦＡ型アンテナの側部の概略図である。
【図２Ｂ】本発明に係るＩＦＡ型アンテナの上部の概略図である。
【図２Ｃ】本発明に係るＩＦＡ型アンテナの底部の概略図である。
【発明を実施するための形態】
【００２８】
図１には、従来技術に係るＩＦＡ型アンテナの側部を概略的に示した。
【００２９】
従来技術によるＩＦＡ型アンテナ１は、アンテナ１の放射素子として機能し、かつ印刷カード１．２に平行に方向つけられる第２の電気的伝導素子１．１を備える。ＩＦＡ型アンテナ１は、図示しないが、接地平面としての役割を果たす第１の電気的伝導素子も備える。通常、第１の電気的伝導素子は、印刷カード１．２に組み込まれる。第２の電気的伝導素子１．１は、第１の電気的伝導素子と第２の電気的伝導素子１．１とを短絡させる役割を果たす電気的伝導結合部１．３を介して第１の電気的伝導素子に結合される。さらに、ＩＦＡ型アンテナ１は、第２の電気的伝導素子１．１を印刷カード１．２のＲＦ回路に結合する励磁素子１．４（ＩＦＡ型アンテナ１のベースとも呼ばれる）をも備える。
【００３０】
電気的伝導結合部１．３と第１の電気的伝導素子とのリンク、さらに励磁素子１．４と印刷回路１．２のＲＦ回路とのリンクは、溶接によって形成される。ＩＦＡ型アンテナ１の組み立て体は、逆Ｆに似ている。
【００３１】
第２の電気的伝導素子１．１の第１の電気的伝導素子（又は接地平面）に対する距離は、ＩＦＡ型アンテナ１の高さＨを定義する。ＩＦＡ型アンテナ１の高さＨは、励磁素子１．４の長さＬ２はもとより電気的伝導結合部１．３の長さＬ５に相当する。ＩＦＡ型アンテナ１の高さＨ及び第２の電気的伝導素子１．１の長さＬは、ＩＦＡ型アンテナ１の入力インピーダンスを決定する。
【００３２】
さらに、第２の電気的伝導素子１．１の長さＬは、ＩＦＡ型アンテナ１の共振周波数に適応される。小さい共振周波数（よって波長は長い）、長い長さＬとなる。
【００３３】
ＩＦＡ型アンテナ１の第２の電気的伝導素子１．１の長さＬ（ＩＦＡ型アンテナ１の動作波長λair（空中）の１／４に相当する）は、約１７．７ｃｍであり、４３４ＭＨｚの共振周波数に相当する。ＩＦＡ型アンテナ１の高さＨは、例えば、ＩＦＡ型アンテナ１の動作波長λair（空中）の１／１０、つまり約１．７ｃｍに相当する。つまり、従来技術のＩＦＡ型アンテナ１は、４３４ＭＨｚの共振周波数に対して大きく、小さな装置に組み込むのは比較的困難である。そのような小さな装置は、多くの分野で用いられるが、特に、自動車における、電気通信及び電子データ処理分野で用いられる。
【００３４】
図２Ａ、２Ｂ及び２Ｃは、本発明に係るＩＦＡ型アンテナ２を示す。図２ＡはＩＦＡ型アンテナ２の側面図であり、図２ＢはＩＦＡ型アンテナ２の上面図であり、図２ＣはＩＦＡ型アンテナ２の底面図である。図２Ｃにはキャパシタ（容量）が示されている。そのようなキャパシタは本発明の実施形態の好ましいモードにて提供されるが、キャパシタは任意であり、本発明の他の実施形態では用いられない。以下の説明にあって、図２Ａ、２Ｂ及び２Ｃは、「図２」との表現によって全て指示される。
【００３５】
従来技術によるＩＦＡ型アンテナのように、本発明に係るＩＦＡ型アンテナ２は、接地平面としての役割を果たす第１の電気的伝導素子２．７と、アンテナの放射素子としての役割を果たす第２の電気的伝導素子２．８と、第１の電気的伝導素子２．７と第２の電気的伝導素子２．８とを短絡させる役割を果たす電気的伝導結合部２．３と、第２の電気的伝導素子２．８と電気的に接触される励磁素子２．４とを備える。
【００３６】
図２に示される具現化例にあって、本発明に係るＩＦＡ型アンテナ２は、第１主部Ａ１及び第２主部Ａ２という、二つの主部分を備える。第１主部Ａ１は第２の電気的伝導素子２．８の第１部２．１を備える。ここで、第２の電気的伝導素子２．８は、第１長さＬ１を有する。
【００３７】
図２に示される具現化例にあって、本発明に係るＩＦＡ型アンテナ２の第２主部Ａ２は、電気的伝導結合部２．３及び励磁素子２．４はもちろん、印刷カード２．２を備える。電気的伝導結合部２．３及び励磁素子２．４は、印刷カード２．２の一方側（底面）に形成される。実施形態の他のモード（図示せず）にあって、電気的伝導結合部２．３及び励磁素子２．４は、印刷カード２．２の他方側（上面）に形成される。
【００３８】
第１主部Ａ１は、第２主部Ａ２の上部（又は底部）にオフセットして、例えば第２主部Ａ２の上部に浮かせて（floatingly）形成される。第１主部Ａ１と第２主部Ａ２の距離又はオフセットは、高さＨに対応し、この高さＨは第２の電気的伝導素子２．８の素子（又は部品）の長さＬ２及びＬ５に対応する。第４長さＬ５は第２の電気的伝導素子２．８の第４部２．１．１に対応し、第５長さＬ２は第２の電気的伝導素子２．８の第５部２．１．２に対応する。
【００３９】
図２に示される具現化例にあって、第２の電気的伝導素子２．８の第４部２．１．１は、例えば第４長さＬ５を有する支線（そこにも符号２．１．１が付される）によって形成される。第２の電気的伝導素子２．８の第４部２．１．１は、第２の電気的伝導素子２．８の第２部２．５と共に第２の電気的伝導素子２．８の第１部２．１に結合される。第２の電気的伝導素子２．８の第２部２．５は第２長さＬ４を有する。図２に示される具現化例にあって、第２の電気的伝導素子２．８の第２部２．５は印刷カード２．２の第１開口部２．２．１を通る。
【００４０】
図２に示される具現化例にあって、第２の電気的伝導素子２．８の第５部２．１．２は例えば、第５長さＬ２を有する（第２）支線（そこにも符号２．１．２が付される）によって形成される。第２の電気的伝導素子２．８の第５部２．１．２は、第２の電気的伝導素子２．８の第３部２．６と共に第２の電気的伝導素子２．８の第５部２．１に結合される。第２の電気的伝導素子２．８の第３部２．６は第３長さＬ３を有する。図２に示される具現化例にあって、第２の電気的伝導素子２．８の第３部２．６は印刷カード２．２の第２開口部２．２．２を通る。
【００４１】
第２の電気的伝導素子２．８の第２部２．５及び第３部２．６は、電気的に相互に絶縁されている。好ましくは、第２の電気的伝導素子２．８の第２部２．５及び第３部２．６は、印刷カード２．２に印刷される。具現化例（図示しない）にあっては、第２の電気的伝導素子２．８の第２部２．５及び第３部２．６は、印刷カード２．２の上面に印刷される。
【００４２】
第２の電気的伝導素子２．８の第３部２．６は、電気的伝導結合部２．３を介して第１の電気的伝導素子２．７に接続されている。好ましくは、第１の電気的伝導素子２．７はもとより電気的伝導結合部２．３は、好ましくは印刷方法によって、印刷カード２．２上の伝導トラックを通して接続される。
【００４３】
励磁素子２．４も、好ましくは印刷方法によって、印刷カード２．２上の伝導トラック上又は印刷カード２．２内に接続される。励磁素子２．４は、第１の電気的伝導素子２．７から電気的に絶縁される。
【００４４】
本発明に係るＩＦＡ型アンテナ２は、−特に第２の電気的伝導素子２．８の第２部２．５及び第３部２．６と同様に第２の電気的伝導素子２．８の第４部２．１．１及び第５部２．１．２、及び高い誘電率−従来のＩＦＡ型アンテナと比較して（ＩＦＡ型アンテナの動作周波数（又は波長）にとって）、非常に縮小されたサイズ（特に、第２の電気的伝導素子２．８の第１部２．１のサイズＬ１）であるという長所を有する。
【００４５】
図２ｃに示される本発明の実施形態のモードにあって、キャパシタＣ１は第１の電気的伝導素子２．７と第２の電気的伝導素子２．８の第２部２．５との間に設けられる。このキャパシタＣ１は任意であり、つまり本発明の他の具現化例にあってはそのようなキャパシタは第１の電気的伝導素子２．７と第２の電気的伝導素子２．８の第２部２．５との間に設けられない。
【００４６】
キャパシタ付きの実施形態のモードは、ＩＦＡ型アンテナが低周波数（キャパシタのない構成と比較して）か又はアンテナの要求される空間がその寸法を縮小することによって（Ｄ２，Ｌ２，Ｌ１、Ｌ５及びＬ４、つまり第２の電気的伝導素子２．８の最も大きな部分の寸法を削減すること）低減される。
【００４７】
ＩＦＡ型アンテナの入力インピーダンス値は、
電気的伝導結合部２．３と励磁素子２．４との間では、第１距離Ｄ１の変化、
又は以下に示す長さの合計の変化のいずれかによって、変更される。
つまり、励磁素子２．４と第２の電気的伝導素子２．８の第５部２．１．２の位置との間の第２距離Ｄ２と、
第１延長長さＬ１と、
第２延長長さＬ４と、
第４延長長さＬ５と、
第５延長長さＬ２と
によって変更される。
【００４８】
以下では、本発明に係るＩＦＡ型アンテナ２の場合にあって、第２の電気的伝導素子２．８の第１部２．１の第１長さＬ１の計算について説明する。この計算は、「ＦＲ４」という名称の材料を有するエポキシ樹脂にてファイバーグラスを用いて作成された印刷カード２．２にあって、共振周波数４３４Ｈｚにてなされる（ＦＲ−４はエポキシ混合強化ファイバーグラスであり、５００ＭＨｚにて４．３５、１ＧＨｚにて４．３４、最大で４．７０の比誘電率（誘電率）を特に備える特性を有する）。この計算例にあって、誘電率は、４．６が選択された。
【実施例１】
【００４９】
空中波長λairは、次の１）及び２）式に示されるように計算される。
【００５０】
【数１】
2014521235.tif 000003
【００５１】
第１部Ａ１について、長さＬ１、Ｌ２及びＬ５は、次の３）、４）及び５）式にて計算される。
【００５２】
【数２】
2014521235.tif 000004
【００５３】
【数３】
2014521235.tif 000005
【００５４】
【数４】
2014521235.tif 000006
【００５５】
長さＬ３及びＬ４は、次の６）式にて計算される。
【００５６】
【数５】
2014521235.tif 000007
【００５７】
有効誘電率εeffは、次の７）式にて計算され、ここで、εrは次の８）式に示される。
【００５８】
【数６】
2014521235.tif 000008
【００５９】
【数７】
2014521235.tif 000009
【００６０】
なお、７）式における有効誘電率εeffについて、大きさａ，ｂは、以下の９）式、１０）式にて示される。
【００６１】
【数８】
2014521235.tif 000010
【００６２】
【数９】
2014521235.tif 000011
【００６３】
式７）乃至１０）の精度は、ｕ＜１であると誤差０．０１％より小さく、ｕ＜１０００であると、０．０３％より小さい。
【００６４】
このため、有効誘電率εeffは、εeff＝３．９であり、「ＦＲ４」と示される材料を有する印刷カード２．２の基板用に計算される。
【００６５】
長さＬ３及びＬ４は、式６）によれば、以下に示すようにＬ３、Ｌ４＝２．８ｃｍとなる。
【００６６】
本発明に係るＩＦＡ型アンテナ２の要求される長さの削減（図１に示した従来技術のＩＦＡアンテナに比較して）は、以下の１１）、１２）、１３）、１４）、１５）及び１６）式のように得られる。
【００６７】
【数１０】
2014521235.tif 000012
【００６８】
【数１１】
2014521235.tif 000013
【００６９】
このように、本発明に係るＩＦＡ型アンテナによれば、要求される長さが１７．７ｃｍから９．１ｃｍで、８．６ｃｍ削減でき、従来技術のＩＦＡ型アンテナに比較して、５１％以上も長さを削減できる。
【符号の説明】
【００７０】
１  従来技術のＩＦＡ型アンテナ
１．１  第２の電気的伝導素子
１．２  印刷カード
１．３  電気的伝導結合部
１．４  励磁素子
Ｈ  高さ
Ｌ  第２の電気的伝導素子の長さ
２  本発明に係るＩＦＡ型アンテナ
２．１  第２の電気的伝導素子の第１部
２．２  印刷カード
２．２．１  第１開口部
２．２．２  第２開口部
２．３  電気的伝導結合部
２．４  励磁素子
２．５  第２の電気的伝導素子の第２部
２．６  第２の電気的伝導素子の第３部
２．１．１  第２の電気的伝導素子の第４部
２．１．２  第２の電気的伝導素子の第５部
２．７  第１の電気的伝導素子
２．８  第２の電気的伝導素子
Ａ１  第１主部
Ａ２  第２主部
Ｌ１  第１長さ
Ｌ２  第５長さ
Ｌ３  第３長さ
Ｌ４  第２長さ
Ｌ５  第４長さ
Ｄ１  第１距離
Ｄ２  第２距離
Ｃ１  キャパシタ
【図１】
2014521235.tif 000014
【図２Ａ】
2014521235.tif 000015
【図２Ｂ】
2014521235.tif 000016
【図２Ｃ】
2014521235.tif 000017
【国際調査報告】
2014521235.tif 000018
2014521235.tif 000019
2014521235.tif 000020
2014521235.tif 000021
2014521235.tif 000022
2014521235.tif 000023